(57)【要約】ＵＥの間欠受信を制御および指示するための方法および装置、記憶媒体、端末、および基地局。前記の制御方法は、ＭＡＣエンティティにより送信されたスケジューリング要求（ＳＲ）に応答してアップリンクにより付与される予想される最短期間を決定することと、ＳＲについてＳＲ応答ラウンド・トリップ・タイム・タイマを割り当てることとを含み、ＳＲ応答ラウンド・トリップ・タイム・タイマのタイミング時間は最短期間と等しいものであり、ＳＲ応答ラウンド・トリップ・タイム・タイマが動いている間にアクティブ状態から抜けることを試みる。本発明により提供される技術的解決法は、端末の電力消費を低減することができる。
2021536180.tif 000002
【特許請求の範囲】
【請求項１】
ユーザ機器（ＵＥ）の間欠受信（ＤＲＸ）を制御するための方法であって、
メディア・アクセス制御（ＭＡＣ）エンティティがスケジューリング要求（ＳＲ）を送信したときから、該ＳＲに応答するアップリンク・グラント（UP grant）が得られるであろうときまでの、最短期間を決定するステップと、
前記ＳＲに関してＳＲ応答ラウンド・トリップ・タイム・タイマ（sr-Response-RTT-Timer）を割り当てるステップであって、前記sr-Response-RTT-Timerのタイミングは前記最短期間と等しく、前記ＵＥは、前記sr-Response-RTT-Timerが動いているときにアクティブ状態から抜けることを試みる、ステップと
を含む方法。
【請求項２】
請求項１に記載の方法であって、
前記ＵＥがＤＲＸを用いるようにコンフィギュレーションされ、且つ前記ＳＲが物理上り制御チャンネル（ＰＵＣＣＨ）を介して送られる場合、前記ＳＲを前記ＰＵＣＣＨを介して送信するときに前記ＳＲの前記sr-Response-RTT-Timerを始動させるステップ
を更に含む方法。
【請求項３】
請求項２に記載の方法であって、前記ＳＲの前記sr-Response-RTT-Timerを始動させるステップは、
前記ＵＥが前記ＰＵＣＣＨを介して前記ＳＲを送信した後の最初のシンボルにおいて、前記ＳＲの前記sr-Response-RTT-Timerを始動させるように、前記ＭＡＣエンティティをコンフィギュレーションするステップ
を含む、方法。
【請求項４】
請求項１に記載の方法であって、前記ＳＲに関して前記sr-Response-RTT-Timerを割り当てる前記ステップの前に、
ＤＲＸコンフィギュレーション情報を受け取るステップであって、前記ＤＲＸコンフィギュレーション情報は、前記ＳＲの前記sr-Response-RTT-Timerのコンフィギュレーション情報を含むものである、ステップ
を更に含む方法。
【請求項５】
請求項４に記載の方法であって、ネットワークにより送られた前記ＤＲＸコンフィギュレーション情報を受け取る前記ステップは、
無線リソース制御（ＲＲＣ）シグナリングを介して前記ネットワークにより送られた前記ＤＲＸコンフィギュレーション情報を受け取るステップ
を含む、方法。
【請求項６】
請求項１ないし５の何れかの請求項に記載の方法であって、前記ＭＡＣエンティティが前記ＰＵＣＣＨを介して前記ＳＲを送るとき、ＤＲＸサイクルのアクティブ期間は、少なくとも、
前記ＳＲの前記sr-Response-RTT-Timerが満了し、前記ＳＲが保留中である期間
を含む、方法。
【請求項７】
請求項１ないし５の何れかの請求項に記載の方法であって、前記sr-Response-RTT-Timerが動いているときに前記アクティブ状態から抜けることを試みる、ということは、前記sr-Response-RTT-Timerが動いており、前記ＵＥを前記アクティブ状態にとどめる他の何れの条件も適合しない間に、前記ＵＥが前記アクティブ状態から抜け出す、ということを意味する、方法。
【請求項８】
ユーザ機器（ＵＥ）の間欠受信（ＤＲＸ）を指示するための方法であって、
ＤＲＸコンフィギュレーション情報を決定するステップであって、前記ＤＲＸコンフィギュレーション情報は、スケジューリング要求（ＳＲ）に対応するＳＲ応答ラウンド・トリップ・タイム・タイマ（sr-Response-RTT-Timer）のコンフィギュレーション情報を含み、前記sr-Response-RTT-Timerのタイミングは、前記ＵＥのメディア・アクセス制御（ＭＡＣ）エンティティが、前記ＳＲが送られた後に該ＳＲに応答するアップリンク・グラント（UP grant）を得られるであろう最短期間と等しいものである、ステップと、
前記ＤＲＸコンフィギュレーション情報を前記ＵＥへ送るステップであって、それにより、前記ＵＥは、前記ＤＲＸコンフィギュレーション情報に従って前記ＳＲに関して前記sr-Response-RTT-Timerを割り当て、前記sr-Response-RTT-Timerが動いているときにアクティブ状態から抜けることを試みる、ステップと
を含む方法。
【請求項９】
請求項８に記載の方法であって、前記ＤＲＸコンフィギュレーション情報を前記ＵＥへ送る前記ステップは、
前記ＤＲＸコンフィギュレーション情報を、無線リソース制御（ＲＲＣ）シグナリングを介して前記ＵＥへ送るステップ
を含む、方法。
【請求項１０】
請求項８または９に記載の方法であって、前記sr-Response-RTT-Timerが動いているときに前記アクティブ状態から抜けることを試みる、ということは、前記sr-Response-RTT-Timerが動いており、前記ＵＥを前記アクティブ状態にとどめる他の何れの条件も適合しない間に、前記ＵＥが前記アクティブ状態から抜け出す、ということを意味する、方法。
【請求項１１】
ユーザ機器（ＵＥ）の間欠受信（ＤＲＸ）を制御するための装置であって、
メディア・アクセス制御（ＭＡＣ）エンティティがＳＲを送信したときから、該ＳＲに応答するアップリンク・グラント（UP grant）が得られるであろうときまでの最短期間を決定するために適用される決定モジュールと、
前記ＳＲに関してＳＲ応答ラウンド・トリップ・タイム・タイマ（sr-Response-RTT-Timer）を割り当てるために適用される割り当てモジュールであって、前記sr-Response-RTT-Timerのタイミングは前記最短期間と等しく、前記ＵＥは、前記sr-Response-RTT-Timerが動いているときにアクティブ状態から抜けることを試みるものである、割り当てモジュールと
を含む装置。
【請求項１２】
ユーザ機器（ＵＥ）の間欠受信（ＤＲＸ）を指示するための装置であって、
ＤＲＸコンフィギュレーション情報を決定するために適用される決定モジュールであって、前記ＤＲＸコンフィギュレーション情報は、ＳＲ応答ラウンド・トリップ・タイム・タイマ（sr-Response-RTT-Timer）のコンフィギュレーション情報を含み、前記sr-Response-RTT-Timerのタイミングは、ＵＥのメディア・アクセス制御（ＭＡＣ）エンティティが、ＳＲに応答するアップリンク・グラント（UP grant）を得られるであろう最短期間と等しいものである、決定モジュールと、
前記ＤＲＸコンフィギュレーション情報を前記ＵＥへ送るために適用される送信モジュールであって、それにより、前記ＵＥは、前記ＤＲＸコンフィギュレーション情報に従って前記ＳＲに関して前記sr-Response-RTT-Timerを割り当て、前記sr-Response-RTT-Timerが動いているときにアクティブ状態から抜けることを試みるものである、送信モジュールと
を含む装置。
【請求項１３】
コンピュータ命令が格納された記録媒体であって、前記コンピュータ命令が実行されると、請求項１ないし６の何れかの請求項に記載のユーザ機器の間欠受信を制御するための方法、または請求項８ないし１０の何れかの請求項に記載のユーザ機器の間欠受信を指示するための方法が行われる、記録媒体。
【請求項１４】
メモリとプロセッサとを含む端末が提供され、前記メモリにはコンピュータ命令が記憶され、前記プロセッサが前記コンピュータ命令を実行したときに、請求項１ないし６の何れかの請求項に記載のユーザ機器の間欠受信を制御するための方法が行われる、端末。
【請求項１５】
メモリとプロセッサとを含む基地局が提供され、前記メモリにはコンピュータ命令が記憶され、前記プロセッサが前記コンピュータ命令を実行したときに、請求項８ないし１０の何れかの請求項に記載のユーザ機器の間欠受信を指示するための方法が行われる、基地局。
【発明の詳細な説明】
【技術分野】
【０００１】
関連出願の相互参照
本出願は、２０１８年８月３１日に出願され、名称が「ＵＥの間欠受信を制御および指示するための方法および装置、記憶媒体、端末、および基地局」である中国特許出願第２０１８１１００９５１７．１の優先権の利益を主張するものであり、この参照によりその開示全体がここに組み込まれるものとする。
【０００２】
本開示は、一般に、ワイヤレス通信技術の分野と関連し、より具体的には、ユーザ機器（ＵＥ）の間欠受信を制御するための方法および装置、ＵＥの間欠受信を指示すたるめの方法および装置、記憶媒体、端末、および基地局と関連する。
【背景技術】
【０００３】
Third Generation Partnership Project（３ＧＰＰ）は、第５世代移動通信（５Ｇ）New Radio（ＮＲ）システムにおける非地上系ネットワーク（ＮＴＮ）について研究している。５Ｇ  ＮＴＮ通信の研究範囲は、主に、宇宙用ビークルである対地静止軌道衛星（ＧＥＯ）、中軌道衛星（ＭＥＯ）、低軌道衛星（ＬＥＯ）、および空中用ビークルである高高度プラットフォーム（ＨＡＰＳ）を含む。ＮＴＮ通信の主な特徴は、そのラウンド・トリップ・タイム（ＲＴＴ）が相対的に長いことであり、これは、一般に、数ミリ秒（略すとｍｓ）から数百ミリ秒を含む。表１は、様々なＮＴＮ通信の配備のシナリオにおける片道遅延を示す。ＲＴＴは片道遅延の２倍である。更に、表１はまた、地上ネットワークのセルラ通信（半径１０キロメートル（略すとｋｍ））の関連するパラメータを示す。
【０００４】
【表１】
2021536180.tif 000003
【０００５】
現在、間欠受信（discontinuous reception）（ＤＲＸ）は、主に、ＲＴＴ時間が比較的短い地上ネットワークのために設計されている。ＤＲＸ機構が、ＲＴＴ時間の長いＮＴＮ通信へ直接的に適用された場合、ＤＲＸ機構の省電力特性の利点を得ることは難しいであろう。
【０００６】
したがって、ＮＴＮ通信におけるＤＲＸ機構について更に研究する必要がある。
【発明の概要】
【０００７】
本開示の実施形態は、どのようにしてＮＴＮ通信においてＤＲＸの利点を得るか、ということについての解決法を提供するので、端末は、間欠受信モードにおいて電力消費を低減することができる。
【０００８】
本開示の１つの実施形態では、ユーザ機器（ＵＥ）の間欠受信（ＤＲＸ）を制御するための方法が提供され、この方法は、メディア・アクセス制御（ＭＡＣ）エンティティがスケジューリング要求（ＳＲ）を送信したときから、該ＳＲに応答するアップリンク・グラント（UP grant）が得られるであろうときまでの、最短期間を決定することと、ＳＲに関してＳＲ応答ラウンド・トリップ・タイム・タイマ（sr-Response-RTT-Timer）を割り当てることとを含み、sr-Response-RTT-Timerのタイミングは最短期間と等しく、ＵＥは、sr-Response-RTT-Timerが動いているときにアクティブ状態から抜けることを試みる。
【０００９】
オプションとして、方法は、ＵＥがＤＲＸを用いるようにコンフィギュレーションされ、且つＳＲが物理上り制御チャンネル（Physical Uplink Control Channel）（ＰＵＣＣＨ）を介して送られる場合において、ＳＲをＰＵＣＣＨを介して送信するときにＳＲのsr-Response-RTT-Timerを始動させることを更に含む。
【００１０】
オプションとして、ＳＲのsr-Response-RTT-Timerを始動させることは、ＵＥがＰＵＣＣＨを介してＳＲを送信した後の最初のシンボルにおいて、ＳＲのsr-Response-RTT-Timerを始動させるように、ＭＡＣエンティティをコンフィギュレーションすることを含む。
【００１１】
オプションとして、方法は、ＳＲに関してsr-Response-RTT-Timerを割り当てる前に、ＤＲＸコンフィギュレーション情報を受け取ることを更に含み、ＤＲＸコンフィギュレーション情報は、ＳＲのsr-Response-RTT-Timerのコンフィギュレーション情報を含む。
【００１２】
オプションとして、ネットワークにより送られたＤＲＸコンフィギュレーション情報を受け取ることは、無線リソース制御（Radio Resource Control）（ＲＲＣ）シグナリングを介してネットワークにより送られたＤＲＸコンフィギュレーション情報を受け取ることを含む。
【００１３】
オプションとして、ＭＡＣエンティティがＰＵＣＣＨを介してＳＲを送るとき、ＤＲＸサイクルのアクティブ期間は、少なくとも、ＳＲのsr-Response-RTT-Timerが満了し、ＳＲが保留中である期間を含む。
【００１４】
オプションとして、sr-Response-RTT-Timerが動いているときにアクティブ状態から抜けることを試みる、ということは、sr-Response-RTT-Timerが動いており、ＵＥをアクティブ状態にとどめる他の何れの条件も適合しない間に、ＵＥがアクティブ状態から抜け出す、ということを意味する。
【００１５】
本開示の実施形態では、ＵＥの間欠受信を指示するための方法が提供され、この方法は、ＤＲＸコンフィギュレーション情報を決定することを含み、ＤＲＸコンフィギュレーション情報は、スケジューリング要求（ＳＲ）に対応するＳＲ応答ラウンド・トリップ・タイム・タイマ（sr-Response-RTT-Timer）のコンフィギュレーション情報を含み、sr-Response-RTT-Timerのタイミングは、ＵＥのメディア・アクセス制御（ＭＡＣ）エンティティが、ＳＲが送られた後に該ＳＲに応答するアップリンク・グラント（UP grant）を得られるであろう最短期間と等しいものであり、かつ、方法は、ＤＲＸコンフィギュレーション情報をＵＥへ送ることを含み、それにより、ＵＥは、ＤＲＸコンフィギュレーション情報に従ってＳＲに関してsr-Response-RTT-Timerを割り当て、sr-Response-RTT-Timerが動いているときにアクティブ状態から抜けることを試みる。
【００１６】
オプションとして、ＤＲＸコンフィギュレーション情報をＵＥへ送ることは、ＤＲＸコンフィギュレーション情報を、無線リソース制御（ＲＲＣ）シグナリングを介してＵＥへ送ることを含む。
【００１７】
オプションとして、sr-Response-RTT-Timerが動いているときにアクティブ状態から抜けることを試みる、ということは、sr-Response-RTT-Timerが動いており、ＵＥをアクティブ状態にとどめる他の何れの条件も適合しない間に、ＵＥがアクティブ状態から抜け出す、ということを意味する。
【００１８】
本開示の実施形態では、ＵＥの間欠受信を制御するための装置が提供され、この装置は、メディア・アクセス制御（ＭＡＣ）エンティティがＳＲを送信したときから、該ＳＲに応答するアップリンク・グラント（UP grant）が得られるであろうときまでの最短期間を決定するために適用される決定モジュールと、ＳＲに関してＳＲ応答ラウンド・トリップ・タイム・タイマ（sr-Response-RTT-Timer）を割り当てるために適用される割り当てモジュールとを含み、sr-Response-RTT-Timerのタイミングは最短期間と等しく、ＵＥは、sr-Response-RTT-Timerが動いているときにアクティブ状態から抜けることを試みる。
【００１９】
本開示の実施形態では、ＵＥの間欠受信を指示するための装置が提供され、この装置は、ＤＲＸコンフィギュレーション情報を決定するために適用される決定モジュールを含み、ＤＲＸコンフィギュレーション情報は、ＳＲ応答ラウンド・トリップ・タイム・タイマ（sr-Response-RTT-Timer）のコンフィギュレーション情報を含み、sr-Response-RTT-Timerのタイミングは、ＵＥのメディア・アクセス制御（ＭＡＣ）エンティティが、ＳＲに応答するアップリンク・グラント（UP grant）を得られるであろう最短期間と等しいものであり、かつ、装置は、ＤＲＸコンフィギュレーション情報をＵＥへ送るために適用される送信モジュールを含み、それにより、ＵＥは、ＤＲＸコンフィギュレーション情報に従ってＳＲに関してsr-Response-RTT-Timerを割り当て、sr-Response-RTT-Timerが動いているときにアクティブ状態から抜けることを試みる。
【００２０】
本開示の実施形態では、コンピュータ命令が格納された記録媒体が提供され、コンピュータ命令が実行されると、ユーザ機器の間欠受信を制御するための前記方法、またはユーザ機器の間欠受信を指示するための前記方法が行われる。
【００２１】
本開示の実施形態では、メモリとプロセッサとを含む端末が提供され、メモリにはコンピュータ命令が記憶され、プロセッサがコンピュータ命令を実行したときに、ユーザ機器の間欠受信を制御するための前記方法が行われる。
【００２２】
本開示の実施形態では、メモリとプロセッサとを含む基地局が提供され、メモリにはコンピュータ命令が記憶され、プロセッサがコンピュータ命令を実行したときに、ユーザ機器の間欠受信を指示するための前記方法が行われる。
【００２３】
本開示の実施形態は、下記の利点を提供し得る。
【００２４】
本開示の実施形態では、ユーザ機器の間欠受信を制御するための方法は、ＭＡＣエンティティがＳＲを送ってから、該ＳＲに応答してＵＰグラントが得られるであろうときまでの最短期間を決定することと、ＳＲに関してsr-Response-RTT-Timerを割り当てることとを含み、sr-Response-RTT-Timerのタイミングは最短期間と等しく、ＵＥは、sr-Response-RTT-Timerが動いているときにアクティブ状態から抜けることを試みる。前記実施形態によると、sr-Response-RTT-Timerを用いるようにコンフィギュレーションされたＤＲＸモードのＵＥは、ＮＴＮ通信の特性（例えば、ＲＴＴは、一般に、数ミリ秒から数百ミリ秒）に効果的に適合し、これは、sr-Response-RTT-Timerが動作中にＵＥがアクティブ状態から抜けることを試みることを可能にし、それにより、端末の電力消費を効果的に低減し、ＤＲＸの省電力特性の利点を得られる。
【００２５】
更に、ネットワークにより送られたＤＲＸコンフィギュレーション情報が受け取られ、このＤＲＸコンフィギュレーション情報はsr-Response-RTT-Timerのコンフィギュレーション情報を含む。前記実施形態によると、ネットワークがＵＥに関するsr-Response-RTT-Timerをコンフィギュレーションするので、ＵＥは、sr-Response-RTT-Timerが動作中にアクティブ状態から抜けることを試みることができ、それにより、端末の電力消費を効果的に低減することができる。
【図面の簡単な説明】
【００２６】
【図１】図１は、従来技術におけるＤＲＸにおけるデータ送信プロセスの間に動作するタイマの概略的な図である。
【図２】図２は、実施形態に従った、ＵＥの間欠受信を制御するための方法のフロー・チャートを概略的に示す。
【図３】図３は、実施形態に従った、ＵＥの間欠受信を指示するための方法のフロー・チャートを概略的に示す。
【図４】図４は、実施形態に従った、ＵＥの間欠受信を制御するための装置の構造図を示す。
【図５】図５は、実施形態に従った、ＵＥの間欠受信を指示するための装置の構造図を示す。
【図６】図６は、実施形態に従った、典型的な応用のシナリオでの信号通信対話の概略的な図である。
【発明を実施するための形態】
【００２７】
背景に関して説明したように、ＤＲＸをＮＴＮ通信へ直接的に適用した場合にはＤＲＸの省電力特性を得ることが難しいことを、当業者は理解することができる。
【００２８】
５Ｇ  ＮＲ通信において、ネットワークが、接続状態のユーザ機器（ＵＥ）に関するＤＲＸモードをコンフィギュレーションし得ること、およびＤＲＸモードのＵＥは物理下り制御チャンネル（Physical Downlink Control Channel）（ＰＤＣＣＨ）を連続的に受信する必要がないことを、本開示の発明者は発見した。
【００２９】
具体的には、接続状態にあり且つＤＲＸモードにあるＵＥは、下記のパラメータおよび特性を有する。
【００３０】
（１）ＤＲＸ−ＯＮ期間タイマ（drx-onDurationTimer）：  ＤＲＸサイクルの開始スロットからであり、ＵＥがアクティブ状態に保たれる期間であり、drx-onDurationTimerの動作期間中に、ＵＥはアクティブ状態であり、ＰＤＣＣＨを監視することになっている。
【００３１】
具体的には、様々なＵＥが様々なonDurationを有する。ＤＲＸサイクルの第１サブフレームおよび第１サブフレーム内のスロットを示すために、ＤＲＸスタート・オフセット（drx-StartOffset）を用いることができる。
【００３２】
（２）ＤＲＸ不活動タイマ（drx-InactivityTimer）：  ＰＤＣＣＨ監視時間の後の期間であり、ＰＤＣＣＨは、メディア・アクセス制御（ＭＡＣ）エンティティに新たなアップリンク（ＵＬ）送信またはダウンリンク（ＤＬ）送信を行わせるように、命令するために用いられる。ＵＥは、ＵＬ／ＤＬ送信を示すＰＤＣＣＨのダウンリンク制御インジケータ（Downlink Control Indicator）（ＤＣＩ）を受信するたびに、drx-InactivityTimerを始動または再始動する。drx-InactivityTimerの動作中、ＵＥはＰＤＣＣＨを連続的に監視する。
【００３３】
図１に示すように、ＤＲＸサイクルのonDuration期間の間、ＵＥはアクティブ状態にとどまり、ＵＥは、ＵＬ／ＤＬ送信を示すＤＣＩを受信するたびに、drx-InactivityTimerを始動または再始動する。drx-InactivityTimerの動作中、ＵＥはアクティブ状態にとどまり続ける。
【００３４】
ＤＬ間欠受信ハイブリッド自動再送要求（Hybrid Automatic Repeat reQuest）（ＨＡＲＱ）ＲＴＴタイマ（drx-HARQ-RTT-TimerDL）：  各ＤＬ  ＨＡＲＱプロセスについてＨＡＲＱ再送信に関するＤＬ割り当てがＭＡＣエンティティにより期待される前の最小期間。ＵＥは、ＤＬデータを受信して、該ＤＬデータについての確認応答（ＡＣＫ）を物理上り制御チャンネル（ＰＵＣＣＨ）で送信した後に、drx-HARQ-RTT-TimerDLを始動させる。基地局は、データを処理するための処理時間と、データを送るための送信時間とを必要とするので、ネットワークは、drx-HARQ-RTT-TimerDLがアクティブ状態のときには、ＵＥに対してのＤＬデータの再送信や別のＤＬデータの送信を行わない。
【００３５】
（４）ＵＬ間欠受信ＨＡＲＱ  ＲＴＴタイマ（drx-HARQ-RTT-TimerUL）：  各ＵＬ  ＨＡＲＱプロセスについてＵＬ再送信に関するグラントが受信されるまでの最大期間。ＵＥは、ＤＬデータを送信した後にdrx-HARQ-RTT-TimerULを始動させる。基地局は、データを処理するための処理時間と、データを送るための送信時間とを必要とするので、基地局は、drx-HARQ-RTT-TimerULがアクティブ状態のときには、ＵＬデータに関するＨＡＲＱフィードバックを行わない。
【００３６】
（５）ＤＬ間欠受信再送タイマ（drx-RetransmissionTimerDL）：  各ＤＬ  ＨＡＲＱプロセスについてＤＬ再送信が受信されるまでの最大期間。drx-RetransmissionTimerDLは、drx-HARQ-RTT-TimerDLが満了した後に始動する。drx-RetransmissionTimerDLがアクティブであるとき、ＵＥはアクティブ状態にとどまり、基地局により再送信された又はＵＥへ新たに送信されたデータ・ブロックを受け取るようにする。
【００３７】
（６）ＵＬ間欠受信再送タイマ（drx-RetransmissionTimerUL）：  各ＵＬ  ＨＡＲＱプロセスについてＵＬ再送信に関するグラントが受信されるまでの最大期間。drx-RetransmissionTimerULは、drx-HARQ-RTT-TimerULが満了した後に始動する。drx-RetransmissionTimerULがアクティブであるとき、ＵＥはアクティブ状態にとどまり、基地局がＵＬへ送信し得るＵＬデータ・ブロックに対応するＨＡＲＱフィードバックを受信するようにし、アップリンク・データ送信リソースを割り当てるようにする。
【００３８】
更に、ＤＲＸサイクルがコンフィギュレーションされるとき、ＵＥがアクティブ状態である期間は、drx-onDurationTimerまたはdrx-InactivityTimerまたはdrx-RetransmissionTimerDLまたはdrx-RetransmissionTimerULまたはra-ConnectionResolutionTimerが動作している期間、または、スケジューリング要求（ＳＲ）がＰＵＣＣＨでＵＥにより送られ、保留中である期間であって、ＳＲが保留中であるということは、ＳＲはトリガされているがキャンセルされていないということを意味する（ＳＲに対応するバッファ・ステータス・レポート（BSR）が送られるとき、ＳＲはキャンセルされ得る）、期間、または、ＵＥのＭＡＣエンティティが、ＵＥにより選択されなかったランダム・アクセス・プリアンブルに応答するランダム・アクセス応答（RAR）の受信は成功したが、ＭＡＣエンティティのCell-Radio Network Temporary Identifier（Ｃ−ＲＮＴＩ）へアドレスされた新たな送信を示すＰＤＣＣＨを受信しなかった期間を含む。
【００３９】
正常な環境では、データの送信および受信にＤＲＸモードを用いると、接続されたＵＥの電力消費と応答速度とのバランスをとることができる。データの送信および受信の頻度が低下したとき、接続されたＵＥは、一般に、ＤＲＸモードへ入るようにコンフィギュレーションされる。
【００４０】
従来技術では、ＤＲＸ機構は、一般に、地上ネットワークのために設計されている。信号の空気伝播遅延は非常に短く、わずか数ミリ秒ないし数十ミリ秒なので、地上ネットワークのＲＴＴは比較的短い。地上ネットワークの通信の遅延は、主に、一般に数ミリ秒であるデータ処理遅延に起因する。
【００４１】
しかし、ＮＴＮ通信はより長いＲＴＴを有し、信号の空気伝播遅延は数ミリ秒や数百ミリ秒にも達し得る。現在のＤＲＸ機構の様々なタイマおよびパラメータがＮＴＮ通信へ直接的に適用された場合、下記の問題の原因となり得る。ＮＴＮ通信のＲＴＴの長さは数ミリ秒や数百ミリ秒なので、ＳＲの送信後に基地局により割り当てられたＵＬグラントの受信に少し時間がかかる。ＵＥがこの期間中に維持する他のサービスが無い場合でも、ＵＥはアクティブ状態にとどまる必要があり、結果として電力を消費する。
【００４２】
本開示の実施形態では、ユーザ機器（ＵＥ）の間欠受信を制御するための方法が提供される。この方法は、メディア・アクセス制御（ＭＡＣ）エンティティがスケジューリング要求（ＳＲ）を送信したときから、該ＳＲに応答するアップリンク・グラント（UP grant）が得られるであろうときまでの、最短期間を決定することと、ＳＲに関してＳＲ応答ラウンド・トリップ・タイム・タイマ（sr-Response-RTT-Timer）を割り当てることとを含み、sr-Response-RTT-Timerのタイミングは最短期間と等しく、ＵＥは、sr-Response-RTT-Timerが動いているときにアクティブ状態から抜けることを試みる。本開示の実施形態によると、ＤＲＸモードのＵＥをsr-Response-RTT-Timerを用いるようにコンフィギュレーションした場合、ＮＴＮ通信の特性によると（例えば、ＲＴＴは、一般に、数ミリ秒ないし数百ミリ秒）、sr-Response-RTT-Timerが動作中にＵＥがアクティブ状態から抜け出すことを可能とすることができ、それにより、端末の電力消費を大きく低減でき、ＤＲＸモードの省電力の利点を効果的に得られる。
【００４３】
本開示の実施形態の目的、特徴、および利点を明確にするために、本開示の実施形態を、添付の図面と関連させて明確に詳細に説明する。
【００４４】
図２は、実施形態に従った、ＵＥの間欠受信を制御するための方法のフロー・チャートを概略的に示す。この方法は、接続されＤＲＸモードにあるＵＥに適用され、ＵＥの電力消費を効果的に節約することを容易にする。
【００４５】
幾つかの実施形態では、ＵＥの間欠受信を制御するための方法はＳ１０１およびＳ１０２を含む。
【００４６】
Ｓ１０１において、ＭＡＣエンティティがＳＲを送信してから、該ＳＲに応答してのＵＰグラントが期待されるまでの最短期間が、決定される。
【００４７】
Ｓ１０２において、ＳＲに関するsr-Response-RTT-Timerが割り当てられるが、ここにおいて、sr-Response-RTT-Timerのタイミングは最短期間と等しく、ＵＥは、sr-Response-RTT-Timerが動いているときにアクティブ状態から抜けることを試みる。
【００４８】
具体的には、ネットワーク側の基地局はＤＲＸコンフィギュレーション情報を送ることができ、このＤＲＸコンフィギュレーション情報は、sr-Response-RTT-Timerに関するコンフィギュレーション情報を含む。ＤＲＸコンフィギュレーション情報によると、ＵＥは、各ＳＲについてsr-Response-RTT-Timerを割り当てることができる。
【００４９】
幾つかの実施形態では、基地局は、無線リソース制御（ＲＲＣ）シグナリングを介してＤＲＸコンフィギュレーション情報を送ることができ、それにより、ＵＥのＤＲＸ動作を制御し、ＵＥが各sr-Response-RTT-Timerおよびその様々なパラメータをコンフィギュレーションすることを可能にする。
【００５０】
幾つかの実施形態では、基地局は、ＵＥがＲＣＣシグナリングを介して各ＳＲに関してsr-Response-RTT-Timerをコンフィギュレーションすること及び割り当てることを可能とする。sr-Response-RTT-Timerのタイミングは、ＭＡＣエンティティがＳＲを送信してから、該ＳＲに応答してのＵＰグラントが期待されるまでの最短期間である。
【００５１】
具体的には、基地局は、ＵＥのＭＡＣエンティティがＲＣＣシグナリングを介してＳＲをコンフィギュレーションしないこと、または１以上のＳＲをコンフィギュレーションすることを、可能とする。各ＳＲは、様々なBand Width Part（ＢＷＰ）またはセルにわたるＳＲ送信のために使用されるＰＵＣＣＨリソースを含む。
【００５２】
Ｓ１０１において、ＵＥが、送信されるアップリンク・データを有する場合、ＵＥは、ネットワーク側の基地局へＳＲを送信することができる。具体的には、ＵＥは、ＭＡＣエンティティを介してＳＲを送信することができる。その後、ＵＥは、ＳＲ応答についてのＵＬグラントを得ることを期待する。ＵＥは、ＳＲの送信から該ＳＲに応答してのＵＰグラントの獲得までの最短期間を決定するために、計算することができる。
【００５３】
Ｓ１０２において、ＵＥは、ＳＲに関してのsr-Response-RTT-Timerを割り当てることができる。ＵＥがＳＲを送信した後、ＳＲのsr-Response-RTT-Timerが始動されるようにコンフィギュレーションすることができる。sr-Response-RTT-Timerの動作中に、ＵＥがアクティブ状態にとどまることを必要とする他の何れのサービスも無い場合、ＵＥは、アクティブ状態から抜け出すことを可能とされる。
【００５４】
幾つかの実施形態では、ネットワークがＵＥについてのＤＲＸをコンフィギュレーションし、ＵＥにより送信されたＳＲがＰＵＣＣＨを介してネットワークへ送信される場合には、ＳＲが送信された後に、ＳＲに対応するsr-Response-RTT-Timerが始動するようにコンフィギュレーションすることができる。より具体的には、ＭＡＣエンティティは、ＵＥがＰＵＣＣＨを介してＳＲを送信した後の第１シンボル（例えば、直交波周波数分割多重（ＯＦＤＭ）シンボル）でＳＲのsr-Response-RTT-Timerを始動するように、コンフィギュレーションすることができる。sr-Response-RTT-Timerの動作中に、ＵＥは、電力消費を減らすために、アクティブ状態から抜け出すことを試みることができる。
【００５５】
具体的には、sr-Response-RTT-Timerの動作中に、ＵＥがアクティブ状態から抜けることを試みることができる、ということは、sr-Response-RTT-Timerが動いており且つＵＥをアクティブ状態にとどめる他の条件に適合しないときに、ＵＥがアクティブ状態から抜け出す、ということを意味する。ＵＥをアクティブ状態にとどめる他の条件とは、ＵＥをアクティブ状態にあるように制御できるsr-Response-RTT-Timerを動作させること以外の様々な条件のことであり得る。ＵＥをアクティブ状態にとどめる必要がある何れかの条件がある場合、ＵＥは、ＵＥをアクティブ状態にとどめる必要があるその条件に従って、アクティブ状態にとどまることができるが、そうではなく、ＵＥをアクティブ状態にとどめる必要がある何れかの条件も無い場合、sr-Response-RTT-Timerの動作中、ＵＥは、電力消費を低減させるためにアクティブ状態から抜けることを試みることができる。
【００５６】
sr-Response-RTT-Timerが満了し、対応するＳＲが保留中である場合、ＵＥはアクティブ状態に入り、ＰＤＣＣＨを受信し、ＵＬグラントを得ることを期待する。ＳＲが保留中である、ということは、ＳＲをトリガしたバッファ・ステータスが、ＰＵＣＣＨを介してネットワークへ報告されていない、ということを意味する。
【００５７】
更に、sr-Response-RTT-Timerが満了し、ＳＲがキャンセルされた場合、ＵＥは、電力消費を低減するためにアクティブ状態から抜けることができる。
【００５８】
ＵＥのＳＲがsr-Response-RTT-Timerを用いるようにコンフィギュレーションされる場合、ＤＲＸサイクルのアクティブ期間は、drx-InactivityTimer、drx-RetransmissionTimerDL、drx-RetransmissionTimerUL、またはra-ConnectionResolutionTimerが動作している期間、または、ＵＥのＭＡＣエンティティが、ＵＥにより選択されなかったランダム・アクセス・プリアンブルに応答するＲＡＲの受信は成功したが、Ｃ−ＲＮＴＩを用いての新たな送信を示すＰＤＣＣＨを受信しなかった期間、または、sr-Response-RTT-Timerが満了し、ＳＲが保留中である期間を含む。
【００５９】
図３は、実施形態に従った、ＵＥの間欠受信を指示するための方法のフロー・チャートを概略的に示す。この方法は、ネットワーク側、例えば、ネットワーク側の基地局に、適用することができる。方法は、Ｓ２０２とＳ２０２とを含む。
【００６０】
Ｓ２０１において、ＤＲＸコンフィギュレーション情報が決定され、ここにおいて、ＤＲＸコンフィギュレーション情報は、ＳＲに対応するsr-Response-RTT-Timerのコンフィギュレーション情報を含み、sr-Response-RTT-Timerのタイミングは、ＵＥのＭＡＣエンティティが、ＳＲが送信された後に該ＳＲに応答してのＵＰグラントを得ることが期待される最短期間と等しい。
【００６１】
Ｓ２０２において、ＤＲＸコンフィギュレーション情報がＵＥへ送られ、それにより、ＵＥは、ＤＲＸコンフィギュレーション情報に従ってＳＲについてsr-Response-RTT-Timerを割り当てることがき、sr-Response-RTT-Timerが動いているときにアクティブ状態から抜けることを試みることができる。
【００６２】
具体的には、Ｓ２０１において、基地局は、ＵＥについてのＤＲＸコンフィギュレーション情報をコンフィギュレーションすることができ、ＤＲＸコンフィギュレーション情報はsr-Response-RTT-Timerを含むことができる。sr-Response-RTT-Timerのタイミングは、ＵＥのＭＡＣエンティティがＳＲの送信後に該ＳＲに応答してのＵＰグラントを得ることが期待される最短期間と等しいものであり得る。
【００６３】
Ｓ２０２において、基地局はＤＲＸコンフィギュレーション情報をＵＥへ送ることができ、それにより、ＵＥは、ＤＲＸコンフィギュレーション情報に従ってＳＲコンフィギュレーションのためにsr-Response-RTT-Timerを割り当てることができ、sr-Response-RTT-Timerが動いている間にアクティブ状態から抜けることを試みることができる。
【００６４】
幾つかの実施形態では、基地局は、ＲＲＣシグナリングを介してＤＲＸコンフィギュレーション情報をＵＥへ送ることができる。
【００６５】
当業者には理解できるように、Ｓ２０１ないしＳ２０２は、図２と関連して実施形態において説明したＳ１０１ないしＳ１０２に対応する実装ステップと見なすことができ、特定の実装原理に関して２つの組は互いに相補的である。したがって、ネットワーク側のＵＥの間欠受信を指示するための方法の詳細な説明については、図２と関係する実施形態の関連説明を参照することができるので、ここではそれを反復しない。
【００６６】
まとめると、本開示の実施形態によると、ＮＴＮ通信における各ＵＥと対応する衛星との間でのＲＴＴの差は比較的大きいので、ネットワークは、ＵＥについてのsr-Response-RTT-Timerをコンフィギュレーションすることができ、ＵＥは、電力消費を低減するように、sr-Response-RTT-Timerが動いている間にアクティブ状態から抜けることを試みることができる。
【００６７】
図４は、実施形態に従った、ＵＥの間欠受信を制御するための装置の構造図を概略的に示す。ＵＥの間欠受信を制御するための装置４（以下、短縮して制御装置４という）を、ＵＥ側に適用することができ、例えば、５Ｇ  ＵＥにより実行されることができる。当業者には理解できるように、制御装置４の実施形態は、図２に示すＵＥの間欠受信を制御するための前記方法を実施するために用いることができる。
【００６８】
幾つかの実施形態では、制御装置４は、決定モジュール４１と割り当てモジュール４３とを含む。
【００６９】
幾つか実施形態では、決定モジュール４１は、ＭＡＣエンティティがＳＲを送信してから、該ＳＲに応答してのＵＰグラントが期待されるまでの最短期間を決定するために適用され、割り当てモジュール４３は、ＳＲについてのsr-Response-RTT-Timerを割り当てるために適用され、sr-Response-RTT-Timerのタイミングは最短期間と等しく、ＵＥは、sr-Response-RTT-Timerが動いている間にアクティブ状態から抜けることを試みる。
【００７０】
具体的には、sr-Response-RTT-Timerの動作中に、ＵＥはアクティブ状態から抜けることを試みることができる、ということは、sr-Response-RTT-Timerが動作中であり且つＵＥをアクティブ状態にとどめる他の何れの条件も適合しない間に、ＵＥはアクティブ状態から抜ける、ということを意味する。
【００７１】
幾つかの実施形態では、制御装置４は、始動モジュール４４を更に含むことができる。具体的には、ＵＥがＤＲＸを用いるようにコンフィギュレーションされ、ＳＲがＰＵＣＣＨを介して送られる場合、始動モジュール４４は、スケジューリング要求を送るためにＰＵＣＣＨが用いられたときに、ＳＲについてのsr-Response-RTT-Timerを始動させるために適用される。
【００７２】
幾つかの実施形態では、始動モジュール４４は、始動サブモジュール４４１を含むことができる。具体的には、始動サブモジュールは、ＳＲがＰＵＣＣＨを介して送信された後の第１シンボルで、ＳＲのsr-Response-RTT-Timerを始動させるために、ＭＡＣエンティティをコンフィギュレーションするために、適用される。
【００７３】
幾つかの実施形態では、制御装置４は、受信モジュール４２を更に含むことができる。受信モジュール４２は、ＳＲについてのsr-Response-RTT-Timerを割り当てる前に、ネットワークにより送信されたＤＲＸコンフィギュレーション情報を受信するために適用され、ＤＲＸコンフィギュレーション情報はsr-Response-RTT-Timerのコンフィギュレーション情報を含む。
【００７４】
幾つかの実施形態では、受信モジュール４２は、受信サブモジュール４２１を含み、これは、ネットワークによりＲＣＣシグナリングを介して送信されたＤＲＸコンフィギュレーション情報を受信するために適用される。
【００７５】
更に、ＭＡＣエンティティがＰＵＣＣＨを介してＳＲを送信するとき、ＤＲＸサイクルのアクティブ期間は、少なくとも、ＳＲのsr-Response-RTT-Timerが満了し且つＳＲが保留中である期間を含む。
【００７６】
制御装置４の原理、詳細な実装、および利点は、図２に示す方法の上記の説明で見つけることができるので、ここでは説明しない。
【００７７】
図５は、実施形態に従った、ＵＥの間欠受信を指示するための装置の構造図を概略的に示す。ＵＥの間欠受信を指示するための装置５（以下、略して指示装置５という）は、ネットワーク側に適用することができ、例えば、ネットワーク側の基地局により実行されることができる。当業者には理解されるように、指示装置５の実施形態は、図３に示すＵＥの間欠受信を指示するための前記方法を実施するために用いることができる。
【００７８】
幾つかの実施形態では、指示装置５は、決定モジュール５１と送信モジュール５２とを含むことができる。
【００７９】
幾つかの実施形態では、決定モジュール５１は、ＤＲＸコンフィギュレーション情報を決定するために適用され、ＤＲＸコンフィギュレーション情報は、ＳＲに対応するsr-Response-RTT-Timerのコンフィギュレーション情報を含み、sr-Response-RTT-Timerのタイミングは、ＵＥのＭＡＣエンティティがＳＲを送信してから、該ＳＲに応答してのＵＰグラントが期待されるまでの最短期間と等しく、送信モジュール５２は、ＤＲＸコンフィギュレーション情報をＵＥへ送信するために適用され、それにより、ＵＥは、ＤＲＸコンフィギュレーション情報に従って、ＳＲについてのsr-Response-RTT-Timerを割り当て、sr-Response-RTT-Timerが動いている間にアクティブ状態から抜けることを試みる。
【００８０】
具体的には、sr-Response-RTT-Timerの動作中に、ＵＥがアクティブ状態から抜けることを試みることができる、ということは、sr-Response-RTT-Timerが動いており且つＵＥをアクティブ状態にとどめる他の条件に適合しないときに、ＵＥがアクティブ状態から抜ける、ということを意味する。
【００８１】
幾つかの実施形態では、送信モジュール５２は送信サブモジュール５２１を含むことができ、これは、ＲＣＣシグナリングを介してＵＥへＤＲＸコンフィギュレーション情報を送信するために適用される。
【００８２】
指示装置５の原理、詳細な実装、および利点は、図３に示す方法の上記の説明で見つけることができるので、ここでは説明しない。
【００８３】
本開示の実施形態に従ったユーザ機器とネットワーク（例えば、ＮＲ基地局）との間の信号通信対話は、更に、典型的な応用のシナリオと関連して以下で詳細に説明する。
【００８４】
図６は、実施形態に従った、典型的な応用のシナリオでの信号通信対話の概略的な図である。図６を参照すると、ＵＥ１がネットワークの基地局２に属した後、基地局２は最初に動作ｓ１を行うことができ、この動作では、ＤＲＸコンフィギュレーション情報がＵＥ１へ送られる。
【００８５】
第２に、ＵＥ１は動作ｓ２を行い、この動作では、ＤＲＸコンフィギュレーション情報を受信した後、ＭＡＣエンティティは、ＳＲコンフィギュレーションを割り当てることができ、各ＳＲコンフィギュレーションにsr-Response-RTT-Timerが割り当てられる。
【００８６】
第３に、ＵＥ１は動作ｓ３を行い、この動作では、送信されるべきアップリンク・データについてのＳＲが生成され、そのＳＲが基地局２へ送信される。したがって、ＵＥ１はsr-Response-RTT-Timerを始動させ、sr-Response-RTT-Timerが動いている間に、ＵＥ１はアクティブ状態から抜けることを試み得る。
【００８７】
その後、sr-Response-RTT-Timerが満了してＳＲが保留中であるとき、ＵＥ１は動作ｓ４を行うことができ、この動作では、ＵＥ１はアクティブ状態に入り、ＳＲに応答してＵＬグラントが受信されることを期待する。
【００８８】
更に、基地局２は動作ｓ５を行うことができ、この動作では、基地局２はＵＬグラントをＵＥ１へ送り、それにより、ＵＥ１は、送信されるべきアップリンク・データを送ることができる。
【００８９】
図６に示す応用のシナリオでのＵＥ１および基地局２の原理、詳細な実装、および利点は、図２および図３に示す方法の上記の説明で見つけることができるので、ここでは説明しない。
【００９０】
本開示の実施形態では、コンピュータ命令が格納された記録媒体が提供され、前記コンピュータ命令が実行されると、図２および図３に示したＵＥの間欠受信を制御する方法および指示する方法が行われる。記録媒体は、コンピュータ読み取り可能な記録媒体とすることができ、例えば、不揮発性または非一時的メモリとすることができる。コンピュータ読み取り可能な記録媒体は、リード・オンリ・メモリ（ＲＯＭ）、ランダム・アクセス・メモリ（ＲＯＭ）、磁気ディスク、光ディスク、その他を含むことができる。
【００９１】
本開示の実施形態では、メモリとプロセッサとを含む端末が提供され、メモリにはコンピュータ命令が記憶され、プロセッサがコンピュータ命令を実行したときに、図２に示すＵＥの間欠受信を制御するための方法が行われる。オプションとして、端末は、ユーザ機器とすることができ、例えば、ＮＲ  ＵＥとすることができる。
【００９２】
本開示の実施形態では、メモリとプロセッサとを含む基地局が提供され、メモリにはコンピュータ命令が記憶され、プロセッサがコンピュータ命令を実行したときに、図３に示すＵＥの間欠受信を指示するための方法が行われる。オプションとして、基地局は、衛星基地局とすることができ、例えば、衛星に設置されるＮＲ基地局とすることができる。
【００９３】
上記では、本開示について好適な実施形態を参照して説明したが、本開示を単に例を用いて示したものであり、限定を示すものではないことを、理解すべきである。当業者は、本開示の精神および範囲を逸脱せずに、実施形態を変更および改造することができる。
【図１】
2021536180.tif 000004
【図２】
2021536180.tif 000005
【図３】
2021536180.tif 000006
【図４】
2021536180.tif 000007
【図５】
2021536180.tif 000008
【図６】
2021536180.tif 000009
【国際調査報告】
2021536180.tif 000010
2021536180.tif 000011
2021536180.tif 000012
2021536180.tif 000013